(57)【要約】  【課題】  長時間耳に装着して使用する場合であっても、ユーザが耳に痛みを感じることがなく、また、移動しながら使用する場合であっても、耳から脱落することがなく、更に、未使用時の形態性に優れたイヤホーンを提供する。また、このイヤホーンに用いられる袋体を提供する。  【解決手段】  開口２を有する袋体１内にスピーカ１１を配する。袋体１の開口部分をゴム７を用いて伸縮可能とする。袋体１を構成する生地は２枚のポリエステルシート５、５の間にグラスウール６を挟んだ生地とし、キルト加工を施す。イヤホーンの未使用時には、一方の袋体１内に他方の袋体１及びコード１０を収納する。【選択図】      図２
2007060274.tif 000002
【特許請求の範囲】
【請求項１】
音声を出力する音声出力部を備え、使用者の耳に装着されるイヤホーンにおいて、
耳を挿入するための開口が設けられ、使用者の耳を覆う袋体を備え、
前記音声出力部が前記袋体内に配設してあること
を特徴とするイヤホーン。
【請求項２】
前記袋体の前記開口部分が伸縮可能にしてある請求項１に記載のイヤホーン。
【請求項３】
前記袋体は、複数のシート材を重ねてなる請求項１又は請求項２に記載のイヤホーン。
【請求項４】
前記複数のシート材の間に吸音材が挟まれている請求項３に記載のイヤホーン。
【請求項５】
前記袋体にキルト加工が施されている請求項４に記載のイヤホーン。
【請求項６】
前記袋体内に、前記音声出力部を着脱可能に装着する装着部を備える請求項１乃至請求項５のいずれか１つに記載のイヤホーン。
【請求項７】
前記音声出力部に音声信号を伝えるコードを備え、
該コードが前記袋体に収納可能にしてある請求項１乃至請求項６のいずれか１つに記載のイヤホーン。
【請求項８】
前記袋体の前記開口を覆って開閉するように設けられたカバーを備える請求項１乃至請求項７のいずれか１つに記載のイヤホーン。
【請求項９】
前記カバーが開いた状態及び閉じた状態で固定する固定手段を備える請求項８に記載のイヤホーン。
【請求項１０】
耳を挿入するための開口と、
音声出力器を着脱可能に装着する装着部とを備え、
複数のシート材を重ねてなること
を特徴とする袋体。
【発明の詳細な説明】
【技術分野】
【０００１】
本発明は、使用者の耳に装着され、オーディオ装置が再生する音声を出力するイヤホーンに関する。また、イヤホーンを構成する袋体に関する。
【背景技術】
【０００２】
従来から、着脱可能なカセットテープ、ＣＤ又はＭＤ等の記録媒体に記録された楽曲を再生し、小型でユーザが持ち運び可能な携帯型のオーディオ機器が普及している。近年においては、記録媒体としてハードディスク又はメモリＩＣ等を内蔵し、数十曲〜数千曲の楽曲を記憶可能な携帯型のオーディオ機器がある。携帯型のオーディオ機器を用いて楽曲を聞く場合には、ユーザはイヤホーン又はヘッドホーン等を用いる。これにより、通勤若しくは通学途中の交通機関の中、又は図書館等の公共の場において、周囲に迷惑をかけずに楽曲を楽しむことができる。
【０００３】
特許文献１においては、防寒耳あての２つの耳あて本体にイヤホーン装着用のポケットを設けることにより、イヤホーンを装着した防寒耳あてをヘッドホーンとして使用できるようにしている。また、特許文献２においては、ユーザの耳穴に挿入する耳栓型のイヤホーンと、イヤホーンに接続された受信部と、受信部をユーザの耳に引掛ける耳掛部とを備え、オーディオ装置に接続するコードが必要ないヘッドホンステレオが提案されている。
【特許文献１】実開昭６２−２１０１６号公報
【特許文献２】実開昭６３−１８３７９７号公報
【発明の開示】
【発明が解決しようとする課題】
【０００４】
イヤホーンは、ユーザの耳穴内に挿入される音声出力部と、携帯型オーディオ機器に接続するためのコードとを備える構成であり、未使用時には衣服のポケットに収まる程度のサイズで携帯性がよいという特徴がある。しかし、耳穴に挿入して装着するため、長時間使用する場合には、ユーザが痛みを感じることがあり、また、ユーザが移動しながらイヤホーンを使用する場合には、振動によってイヤホーンが脱落しやすいという問題がある。
【０００５】
また、ユーザの耳の上部に引掛けるための湾曲したアーム部を備える耳掛式のイヤホーンがあり、耳掛式のイヤホーンでは、耳穴に音声出力部を挿入しなくてもよいため、ユーザが耳穴に痛みを感じることはない。しかし、汎用品であるためアーム部の形状はある程度決められており、ユーザの耳の形状及び大きさ等によってはアーム部にフィットせず、使用中にイヤホーンがずれる又は脱落する等の虞がある。
【０００６】
ヘッドホーンは、ユーザの頭に装着される略逆Ｕ字型のヘッドバンド部と、ヘッドバンド部の両端に設けられた音声出力用のスピーカとを備える構成である。これにより、ユーザが耳に痛みを感じる事がなく、また、移動中に脱落する虞がないため、上記のイヤホーンの問題は解決できる。しかし、ヘッドホーンはイヤホーンと比較して装置のサイズが大きく、携帯型オーディオ機器よりも大きい場合もあり、携帯性が悪いという問題がある。
【０００７】
特許文献１に記載の防寒耳あて、及び特許文献２に記載のヘッドホンステレオにおいても同様に、これらの問題を有している。
【０００８】
本発明は、斯かる事情に鑑みてなされたものであって、その目的とするところは、袋体内に音声出力部を配し、袋体がユーザの耳を覆うように装着する構成とすることにより、ユーザが耳に痛みを感じる虞がなく、また、携帯性のよいイヤホーンを提供することにある。
【０００９】
また本発明の他の目的とするところは、袋体の開口部分を伸縮可能とすることにより、ユーザが装着した場合に、耳から脱落しにくいイヤホーンを提供することにある。
【００１０】
また本発明の他の目的とするところは、音声出力部を内部に有する袋体を、複数のシート材を重ねて構成することにより、音声出力部から出力された音声が外部に漏れにくいイヤホーンを提供することにある。
【００１１】
また本発明の他の目的とするところは、シート材の間に吸音部材を挟んで袋体を構成することにより、音声出力部から出力された音声が外部により漏れにくいイヤホーンを提供することにある。
【００１２】
また本発明の他の目的とするところは、袋体にキルト加工を施す構成とすることにより、シート材の間に挟まれた吸音材がずれる虞がなく、確実に音声出力部から出力された音声を吸収することができるイヤホーンを提供することにある。
【００１３】
また本発明の他の目的とするところは、袋体内の音声出力部を着脱可能とすることにより、袋体を交換する、又は洗濯する等が行いやすいイヤホーンを提供することにある。
【００１４】
また本発明の他の目的とするところは、音声出力部に音声信号を伝えるコードを袋体内に収納できる構成とすることにより、未使用時の携帯性がよいイヤホーンを提供することにある。
【００１５】
また本発明の他の目的とするところは、袋体の開口を覆うカバーを備える構成とすることにより、未使用時にコードを袋体内に収納した場合に、コードが袋体の外に出る虞がなく、より携帯性のよいイヤホーンを提供することにある。
【００１６】
また本発明の他の目的とするところは、袋体の開口を覆って閉じた状態、及び開口を開いた状態でカバーを固定できる構成とすることにより、未使用時にはコードが袋体の外に出ることを確実に防止でき、使用時にはカバーが装着の妨げとならないイヤホーンを提供することにある。
【００１７】
また本発明の他の目的とするところは、内部に音声出力器が装着でき、耳を挿入するための開口が形成された構成とすることにより、イヤホーンとして使用することができる袋体を提供することにある。
【課題を解決するための手段】
【００１８】
本発明に係るイヤホーンは、音声を出力する音声出力部を備え、使用者の耳に装着されるイヤホーンにおいて、耳を挿入するための開口が設けられ、使用者の耳を覆う袋体を備え、前記音声出力部が前記袋体内に配設してあることを特徴とする。
【００１９】
本発明においては、開口を有する袋体の中に音声出力部を配する。ユーザは耳を開口から袋体の内部へ入れてイヤホーンを装着する。袋体をやわらかい素材で製作した場合、イヤホーンの装着時にユーザが耳に痛みを感じることがなく、また、未使用時には小さく畳んでポケットに収納することができる。
【００２０】
また、本発明に係るイヤホーンは、前記袋体の前記開口部分が伸縮可能にしてあることを特徴とする。
【００２１】
本発明においては、袋体の開口部分を、例えばゴムなどを用いて伸縮可能とする。これにより、耳の大きさ及び形状等が異なるユーザが装着した場合であっても、イヤホーンが簡単に耳にフィットする。
【００２２】
また、本発明に係るイヤホーンは、前記袋体が、複数のシート材を重ねてなることを特徴とする。
【００２３】
本発明においては、複数のシート材を重ねて袋体を構成する。重ねるシート材の枚数が多いほど、音声出力部から出力される音声を遮音する効果が高くなる。
【００２４】
また、本発明に係るイヤホーンは、前記複数のシート材の間に吸音材が挟まれていることを特徴とする。
【００２５】
本発明においては、シート材の間に吸音部材を挟んで袋体を構成する。音声出力部から出力された音声が吸音部材により吸音され、外部に漏洩しない。
【００２６】
また、本発明に係るイヤホーンは、前記袋体にキルト加工が施されていることを特徴とする。
【００２７】
本発明においては、袋体にキルト加工を施し、シート材の間に挟まれた吸音部材を固定する。ユーザがイヤホーンを折りたたんでポケットに収容した場合等に、吸音部材がシート材の間で移動し、ずれることを防止できる。
【００２８】
また、本発明に係るイヤホーンは、前記袋体内に、前記音声出力部を着脱可能に装着する装着部を備えることを特徴とする。
【００２９】
本発明においては、袋体内部に配される音声出力部を着脱可能な構成とする。これにより、ユーザの好みに応じて異なるデザインの袋体を交換でき、また、袋体が汚れた場合に洗濯することができる。
【００３０】
また、本発明に係るイヤホーンは、前記音声出力部に音声信号を伝えるコードを備え、該コードが前記袋体に収納可能にしてあることを特徴とする。
【００３１】
本発明においては、袋体の大きさを、オーディオ装置に接続するためのコードが袋体の内部に収納できる程度の大きさとする。これにより、イヤホーンの未使用時にコードを袋体内に収納して、イヤホーンをポケット又は鞄等に収納でき、コードが邪魔にならない。
【００３２】
また、本発明に係るイヤホーンは、前記袋体の前記開口を覆って開閉するように設けられたカバーを備えることを特徴とする。
【００３３】
本発明においては、袋体に設けられたユーザの耳を挿入するための開口を覆うカバーを設ける。イヤホーンの未使用時には、コードを開口から袋体内に収納し、開口をカバーで閉じて、開口からコードが出ることを防止する。
【００３４】
また、本発明に係るイヤホーンは、前記カバーが開いた状態及び閉じた状態で固定する固定手段を備えることを特徴とする。
【００３５】
本発明においては、袋体の開口を覆うカバーを、開口を覆って閉じた状態、及び開口を開いた状態で固定できるようにする。これにより、イヤホーンの未使用時にコードを袋体内に収納した場合には、カバーにより確実に開口を閉じることができる。イヤホーンの使用時には、開口を確実に開いた状態にでき、ユーザがイヤホーンを装着するときにカバーが妨げとならない。
【００３６】
また、本発明に係る袋体は、耳を挿入するための開口と、音声出力器を着脱可能に装着する装着部とを備え、複数のシート材を重ねてなることを特徴とする。
【００３７】
本発明においては、袋体に耳を挿入するための開口を形成し、内部に音声出力器を装着できるようにする。音声出力器を装着し、袋体を開口から耳に挿入して装着することにより、袋体をイヤホーンとして使用できる。また、袋体をシート材を重ねて構成し、音声出力器が出力する音声が袋体の外部にもれないよう遮音する。
【発明の効果】
【００３８】
本発明による場合は、袋体内に音声出力部を配し、袋体がユーザの耳を覆うように装着する構成とすることにより、袋体をやわらかい素材で製作した場合、イヤホーンの装着時にユーザが耳に痛みを感じることがないため、イヤホーンを長時間装着してオーディオ装置が再生する音声を楽しむことができる。また、未使用時には小さく畳んでポケットに収納することができるため、イヤホーンの携帯性を高めることができる。よって、ユーザが使用しやすいイヤホーンが実現できる。
【００３９】
また、本発明による場合は、袋体の開口部分を伸縮可能とすることにより、耳の大きさ及び形状等が異なるユーザが装着した場合であっても、イヤホーンが各ユーザの耳にフィットする。よって、ユーザが移動しながらイヤホーンを使用する場合に、イヤホーンが脱落する虞がないため、ユーザが使用しやすいイヤホーンが実現できる。
【００４０】
また、本発明による場合は、音声出力部を内部に有する袋体を、複数のシート材を重ねて構成することにより、シート材による遮音効果を高めることができるため、音声出力部から出力された音声が外部に漏れる虞をなくすことができ、交通機関又は図書館等の公共の場において、周囲に迷惑をかけずに、オーディオ装置が再生する音声を楽しむことができる。
【００４１】
また、本発明による場合は、シート材の間に吸音部材を挟んで袋体を構成することにより、音声出力部から出力された音声が吸音部材により吸音されるため、より音声が外部に漏れる虞を無くすことができ、交通機関又は図書館等の公共の場において、周囲に迷惑をかけずに、オーディオ装置が再生する音声を楽しむことができる。
【００４２】
また、本発明による場合は、袋体にキルト加工を施す構成とすることにより、シート材の間に挟まれた吸音部材を固定することができ、ユーザがイヤホーンを折りたたんでポケットに収容した場合等に、吸音部材がシート材の間で移動してずれることを防止できるため、吸音部材による吸音の効果を長期間確実に維持することができる。
【００４３】
また、本発明による場合は、袋体内の音声出力部を着脱可能とすることにより、ユーザの好みに応じて異なるデザインの袋体を交換でき、また、袋体が汚れた場合に洗濯することができるため、ユーザが使用しやすいイヤホーンが実現できる。
【００４４】
また、本発明による場合は、袋体の大きさを、音声出力部に音声信号を伝えるコードが収納できる程度の大きさとすることにより、イヤホーンの未使用時にコードを袋体内に収納して、イヤホーンをポケット又はかばん等に収納でき、コードが邪魔にならないため、ユーザが使用しやすいイヤホーンが実現できる。
【００４５】
また、本発明による場合は、袋体に設けられたユーザの耳を挿入するための開口を覆うカバーを設けることにより、イヤホーンの未使用時に、コードを開口から袋体内に収納し、開口をカバーで閉じることができるため、開口からコードが出ることを防止することができる。よって、ユーザが使用しやすいイヤホーンが実現できる。
【００４６】
また、本発明による場合は、袋体の開口を覆うカバーを、開口を覆って閉じた状態、及び開口を開いた状態で固定できる構成とすることにより、イヤホーンの未使用時にコードを袋体内に収納した場合に、開口を確実にカバーで閉じることができるため、コードが外に出ることを防止できる。また、イヤホーンの使用時には、開口を確実に開いた状態にできるため、ユーザがイヤホーンを装着するときにカバーが妨げとなる虞をなくすことができる。よって、ユーザが使用しやすいイヤホーンが実現できる。
【００４７】
また、本発明による場合は、袋体を、内部に音声出力器が装着でき、耳を挿入するための開口が形成された構成とすることにより、音声出力器を内部に装着し、袋体を開口から耳に挿入して装着し、袋体をイヤホーンとして使用できるため、イヤホーンの携帯性を高める事ができ、また、ユーザが使用中に耳に痛みを感じる虞が少ない。また、袋体をシート材を重ねて構成することにより、音声出力器が出力する音声が袋体の外部に漏れることをより確実に防止できるため、交通機関又は図書館等の公共の場において、周囲に迷惑をかけずに、オーディオ装置が再生する音声を楽しむことができる。
【発明を実施するための最良の形態】
【００４８】
（実施の形態１）
以下、本発明をその実施の形態を示す図面に基づき具体的に説明する。図１は、本発明に係るイヤホーンの構成を示す斜視図である。また、図２は、本発明に係るイヤホーンの構成を示す模式的断面図であり、ユーザが耳に装着した場合を一方の耳側について図示したものである。
【００４９】
図において１は円の中央が膨らんだ略円盤形をなす袋体であり、袋体１の一面の略中央には略円形の開口２が形成され、開口２により袋体１の内外が連通するようにしてある。袋体１は、２枚のポリエステルシート５、５の間にグラスウール６を挟んだ生地を縫い合わせて製作されたものである。生地には略格子状の縫い目４が設けられてキルト加工されており、ポリエステルシート５、５の間のグラスウール６がずれることを防止している。
【００５０】
また、袋体１の大きさは、開口２から内部に挿入されたユーザの耳１００の全体を覆って、内部に収容できる程度の大きさにされている。袋体１の開口２の周縁部分は折り返して縫い合わせてあり、折り返し部分にゴム７が通されている。ゴム７により、開口２が拡径及び縮径するよう、袋体１の開口２の周縁部分が伸縮可能にされている。ユーザは、袋体１内に耳１００を収容する場合、及び耳１００を覆う袋体１を外す場合に、開口２を拡径して耳１００を通すことができる。
【００５１】
袋体１がユーザの耳１００を覆った状態では、ゴム７がユーザの耳１００の付け根部分を締め付けるため、袋体１が耳１００から簡単に脱落することはない。ただし、ユーザが痛みを感じないように、ゴム７は伸縮力があまり強くないものを用いる。
【００５２】
袋体１の内部には、スピーカ１１を装着するための装着部８が設けられており、装着部８に略円形の薄い板状のスピーカ１１が着脱可能に装着されている。装着部８は、袋体１内の開口２に略対向する位置に配されており、袋体１がユーザの耳１００を覆った場合に、スピーカ１１がユーザの耳穴の近傍に位置し、スピーカ１１から出力された音声をユーザが聞き取りやすくしてある。
【００５３】
また、スピーカ１１に接続されたコード１０は、スピーカ１１から袋体１の内壁に沿って開口２の外へ出される。本発明に係るイヤホーンは、袋体１及びスピーカ１１を２つずつ備えており、ユーザの左右の耳１００にそれぞれ装着される。２つのスピーカ１１に接続されたコード１０は、それぞれ袋体１の外に出された後、１つにまとめられて、図示しないオーディオ装置に接続される。
【００５４】
図３は、本発明に係るイヤホーンの装着部８及びスピーカ１１の模式的拡大断面図である。スピーカ１１の音声が出力される面の反対面には、スピーカ１１より小さい略円形の金属板に略円柱状の突起が形成された被装着部１１ａが、接着剤により接着されている。被装着部１１ａの突起の突出端は略球状に丸められており、突起の根元より直径が若干大きくされている。
【００５５】
袋体１の装着部８は、スピーカ１１の被装着部１１ａと同程度の大きさの略円板型の金属製であり、接着剤により接着されている。装着部８の厚さは被装着部１１ａの突起の突出長と同程度であり、中央には被装着部１１ａの突起を挿入するための挿入穴８ａが形成されている。挿入穴８ａは、穴の開口部分の直径が被装着部１１ａの根元部分の直径と同程度であり、穴の奥部分はこれより若干直径が大きい。
【００５６】
スピーカ１１を装着部８に装着する場合は、スピーカ１１の被装着部１１ａの突起を装着部８の挿入穴８ａに、一定以上の力を加えて押し込む。被装着部１１ａの突起が挿入穴８ａ内に挿入された状態では、突起の突出端部の直径が大きくしてあるため、挿入穴８ａから突起が簡単に抜けることはなく、スピーカ１１が装着部８から簡単に脱落しない。スピーカ１１を装着部８から外す場合には、一定以上の力でスピーカ１１の被装着部１１ａの突起を挿入穴８ａから引き抜く。なお、袋体１の装着部８及びスピーカ１１の被装着部１１ａは、ホック式のボタンを用いることで簡単に実現することができる。
【００５７】
図４は、本発明に係るイヤホーンの未使用時の状態を示す模式図である。イヤホーンにてオーディオ装置から出力される音声を聞かないときには、まず、イヤホーンのコード１０とオーディオ装置との接続を外す（図４（ａ）参照）。次いで、２つのうちの一方の袋体１を折り畳み、他方の袋体１の開口２からその中へ、折り畳んだ袋体１を収納する（図４（ｂ）参照）。次いで、コード１０を袋体１の中へ収納する（図４（ｃ）参照）。これらにより、１つの袋体１の中に袋体１及びコード１０が収納されて１つにまとまるため（図４（ｄ）参照）、イヤホーンを持ち運びやすくできる。
【００５８】
以上の構成のイヤホーンにおいては、スピーカ１１が中に収められた袋体１を、ユーザの耳を覆うように装着する構成とすることにより、ユーザが耳に痛みを感じることがなく、また、移動中にイヤホーンが脱落する虞がない。また、袋体１の生地は、ポリエステルシート５の間に吸音材であるグラスウール６を挟んだ生地であるため、スピーカ１１から出力される音声が袋体１の外部に漏れにくい。なお、遮音効果を更に高めるために、例えば、ポリエステルシート５を更に複数枚重ねる、又はポリエステルシート５に遮音効果のあるシリコンコーティングを施す等を行うことができる。また、袋体１の中にコード１０及びもう一方の袋体１を収納できるため、携帯性がよい。
【００５９】
なお、本実施の形態においては、袋体１の形状を中央が膨らんだ略円盤形としたが、これに限るものではなく、矩形盤形、球形、葉巻形又は耳形等の他の形状であってもよく、耳を覆って収容できる袋状であればよい。また、イヤホーンが左右の耳用に２つの袋体１を備える構成を示したが、これに限るものではなく、片側の耳のみに装着するように、１つの袋体１のみ備える構成であってもよい。
【００６０】
また、袋体１内にスピーカ１１を１つ装着する構成を示したが、これに限るものではなく、２つ以上のスピーカ１１を袋体１内に装着する構成であってもよい。例えば、低音用のスピーカ及び高音用のスピーカの２つを袋体１内に備えてもよい。また、スピーカ１１に接続されるコード１０を袋体１の開口２から袋体１の外へ出す構成を示したが、これに限るものではなく、袋体１に貫通孔を形成してコード１０を通す構成であってもよい。
【００６１】
また、袋体１の生地は、ポリエステルシート５の間に吸音材としてグラスウール６を挟んだ生地としたが、これに限るものではなく、ポリオレフィン系樹脂又は塩化ビニール等のシート材を用いてもよい。また、ポリエステルシート５の間にグラスウール６を挟まない構成であってもよく、別の吸音材を挟む構成であってもよい。また、ポリエステルシート５をより多く重ねて遮音効果を高める構成であってもよく、複数種類のシート材を重ねる構成であってもよい。複数種類のシート材を重ねる場合に、遮音を効率よく行う周波数帯がそれぞれ異なるシート材を複数用いることで、より確実に音漏れを防止できる。また、袋体１にキルト加工を行う構成を示したが、これに限るものではなく、キルト加工を行わない構成であってもよい。
【００６２】
また、イヤホーンの未使用時に、２つのうちの１つの袋体１の中に、もう１つの袋体１及びコード１０を収納する構成を示したが、これに限るものではなく、袋体１内にコード１０のみを収納する構成であってもよい。また、図４に示した収納手順では、袋体１の中に折り畳んだ袋体１を収納した後でコード１０を収納する手順を示したが、これに限るものではなく、コード１０を収納した後で折り畳んだ袋体１を収納してもよい。
【００６３】
（実施の形態２）
図５は、本発明の実施の形態２に係るイヤホーンの構成を示す斜視図であり、図６は、図５のＩＶ−ＩＶ線による断面図である。なお、図５及び図６においては、左右の耳用の２つの袋体のうちの１つのみを図示してあり、また、スピーカ１１に接続されるコードは図示を省略してある。
【００６４】
実施の形態２に係るイヤホーンの袋体５１には、イヤホーンの未使用時に袋体５１内にもう一方の袋体５１及びコード１０を収納した後、袋体５１の開口２を覆って閉じるためのカバー５２が設けられている。カバー５２は、長方形の一辺を円弧状にした形状の２つの生地を、略円盤形をなす袋体５１の周縁部分に生地の円弧部分が合うように、且つ、２つの生地が開口２を間にして反対の位置となるように、袋体５１にそれぞれ縫い合わせたものである。２つの生地の円弧状の一辺の反対辺にはファスナー５３の務歯がそれぞれ設けられており、ファスナー５３の務歯を噛み合わせることで、開口２を覆った状態で２つの生地が固定され、開口２を閉じることができる。カバーを構成する２つの生地は略同じ大きさであり、開口２の略中央位置でファスナー５３の務歯が噛み合うようにしてある。
【００６５】
また、イヤホーンを使用する場合には、袋体５１の開口２が形成された面の反対面側にて、カバー５２の２つの生地をファスナー５３で固定する。これにより、ユーザが袋体５１を耳に装着する場合及び装着した後に、カバー５２が妨げとなる虞がない。なお、図６には、（ａ）にイヤホーンの未使用時の状態を示し、（ｂ）に使用時の状態を示してある。
【００６６】
以上の構成のイヤホーンにおいては、カバー５２により袋体５１の開口２を確実に閉じることができるため、イヤホーンの未使用時に袋体５１内に収納したコード１０などが開口２からこぼれ出る虞がなく、携帯性を高める事ができる。また、イヤホーンの使用時には、袋体５１の反対面にカバー５２を固定することができ、カバー５２が袋体１の装着の妨げとならず、また、スピーカ１１から出力される音声の視聴の妨げとなることがない。
【００６７】
なお、実施の形態２においては、カバー５２をファスナー５３を用いて固定する構成を示したが、これに限るものではなく、ボタン又は面ファスナー等を用いて固定する構成であってもよい。また、カバー５２を略同形状の２つの生地により構成したが、これに限るものではなく、１つの生地で開口２を覆う構成であってもよい。
【００６８】
なお、実施の形態２に係るイヤホーンのその他の構成は、実施の形態１に係るイヤホーンの構成と同様であるため、対応する箇所には同じ符号を付して詳細な説明を省略する。
【図面の簡単な説明】
【００６９】
【図１】本発明に係るイヤホーンの構成を示す斜視図である。
【図２】本発明に係るイヤホーンの構成を示す模式的断面図である。
【図３】本発明に係るイヤホーンの装着部及びスピーカの模式的拡大断面図である。
【図４】本発明に係るイヤホーンの未使用時の状態を示す模式図である。
【図５】本発明の実施の形態２に係るイヤホーンの構成を示す斜視図である。
【図６】図５のＩＶ−ＩＶ線による断面図である。
【符号の説明】
【００７０】
１  袋体
２  開口
４  縫い目
５  ポリエステルシート（シート材）
６  グラスウール（吸音材）
７  ゴム
８  装着部
１０  コード
１１  スピーカ（音声出力部）
５１  袋体
５２  カバー
５３  ファスナー
【図１】
2007060274.tif 000003
【図２】
2007060274.tif 000004
【図３】
2007060274.tif 000005
【図４】
2007060274.tif 000006
【図５】
2007060274.tif 000007
【図６】
2007060274.tif 000008